(57)【要約】      （修正有）【課題】極めて安全性が高く、しかも操作性も非常に良好な電気湯沸かし器を提供する。【解決手段】液体を収容する有底筒状の内容器２と、この内容器の胴体を囲んだ外装体３と、外装体の下端外周壁に装着し、内容器の底部を囲んだ底部材４と、外装体の上端外周壁に装着し、内容器の口元を支える肩部材５と、肩部材の上端外周壁に着脱自在に装着し、内容器の口元を開閉する蓋体６と、内容器の底部外側に張設したヒータ７と、内容器内の液温を感知する手動復帰式のスイッチ８ａを備えたサーモスタット８と、スイッチ８ａを操作するレバー９と、底部材の側壁を貫通してレバーを突出させる枠体１０とを設けた電気湯沸かし器１に於いて、上記レバー９が押し上げられた状態でのみサーモスタットのスイッチ８ａをＯＮする構成とし、枠体１０の上壁には、外方へ延びたひさし部１０ａを設けると共にレバー９の先端は、ひさし部１０ａよりも外方へ突出しない構成とする。【選択図】図３
0003150001.tif 000002
【実用新案登録請求の範囲】
【請求項１】
液体を収容する有底筒状の内容器（２）と、この内容器の胴体を囲んだ外装体（３）と、外装体の下端外周壁に装着し、内容器の底部を囲んだ底部材（４）と、外装体の上端外周壁に装着し、内容器の口元を支える肩部材（５）と、肩部材の上端外周壁に着脱自在に装着し、内容器の口元を開閉する蓋体（６）と、内容器の底部外側に張設したヒータ（７）と、内容器内の液温を感知する手動復帰式のスイッチ（８ａ）を備えたサーモスタット（８）と、このサーモスタットのスイッチ（８ａ）を操作するレバー（９）と、底部材の側壁を貫通してレバーを突出させる枠体（１０）とを設けた電気湯沸かし器（１）に於いて、上記レバー（９）が押し上げられた状態でのみサーモスタットのスイッチ（８ａ）をＯＮすることを特徴とした電気湯沸かし器。
【請求項２】
上記枠体（１０）の上壁には、外方へ延びたひさし部（１０ａ）を設けると共にレバー（９）の先端は、このひさし部（１０ａ）よりも外方へ突出しないことを特徴とした請求項１に記載の電気湯沸かし器。
【考案の詳細な説明】
【技術分野】
【０００１】
本考案は、手動復帰式のスイッチを備えたサーモスタットをレバーの操作にてＯＮ、ＯＦＦする電気湯沸かし器に関するものである。
【背景技術】
【０００２】
従来、電気湯沸かし器は、容器の底部外側にヒータを張設し、容器内の液温を感知するサーモスタットを設け、このサーモスタット内にこのサーモスタットをＯＮ、ＯＦＦするスイッチを設け、このスイッチの入、切を操作するレバーを設け、このレバーを容器本体外側に延ばして設け、容器本体の外側よりプラグ受けに電源プラグを差し込んだ後、レバーを押し下げてスイッチを入にしてサーモスタットを作動させ、サーモスタットが容器内の液温を感知して予め決められた設定温度以下であるとヒータをＯＮ状態として、容器内の液を加熱する構造の電気湯沸かし器が実開昭６２−１２７２３５号公報として存在する。
【先行技術文献】
【特許文献】
【０００３】
【特許文献１】実開昭６２−１２７２３５号公報
【考案の概要】
【考案が解決しようとする課題】
【０００４】
ところが、この種の電気湯沸かし器では、電気湯沸かし器の載置場所が限定され、狭い場所や物が散乱している場所等にあっては、物が落下したり、電気湯沸かし器のレバーに物が上から当たって、レバーを押し下げ、不用時にも湯沸かしが行われ、非常に危険性を伴う問題点があった。
【０００５】
特に、バッテリーを電源とし、狭い室内空間を有する車内に載置される場合の電気湯沸かし器では、車内にキーホルダーやコイン等を落とす場合が多く、これらキーホルダーやコイン等が落下する際、電気湯沸かし器のレバーに上から当たって、不用時にもかかわらずレバーを押し下げ、サーモスタットのスイッチを入にしてヒータをＯＮ状態とし、容器内の液を勝手に加熱し、大変危険であるという問題点があった。
【課題を解決するための手段】
【０００６】
本考案は、液体を収容する有底筒状の内容器２と、この内容器の胴体を囲んだ外装体３と、外装体の下端外周壁に装着し、内容器の底部を囲んだ底部材４と、外装体の上端外周壁に装着し、内容器の口元を支える肩部材５と、肩部材の上端外周壁に着脱自在に装着し、内容器の口元を開閉する蓋体６と、内容器の底部外側に張設したヒータ７と、内容器内の液温を感知する手動復帰式のスイッチ８ａを備えたサーモスタット８と、このサーモスタットのスイッチ８ａを操作するレバー９と、底部材の側壁を貫通してレバーを突出させる枠体１０とを設けた電気湯沸かし器１に於いて、上記レバー９が押し上げられた状態でのみサーモスタットのスイッチ８ａをＯＮする構成としている。
又、枠体１０の上壁には、外方へ延びたひさし部１０ａを設けると共にレバー９の先端は、このひさし部１０ａよりも外方へ突出しない構成としている。
【考案の効果】
【０００７】
本考案は、従来の問題点を解決したものであって、極めて安全性高く、しかも操作性非常に良好な電気湯沸かし器を提供するにある。
【図面の簡単な説明】
【０００８】
【図１】本考案実施例の側面図。
【図２】本考案実施例のスイッチが切れた状態の縦断面図。
【図３】本考案実施例のスイッチが入った状態の縦断面図。
【図４】本考案実施例のスイッチが切れた状態を示す説明図。
【図５】本考案実施例のスイッチが入った状態を示す説明図。
【考案を実施するための形態】
【０００９】
電気湯沸かし器１は、液体を収容する有底筒状の内容器２と、この内容器の胴体を囲んだ外装体３と、外装体の下端外周壁に装着し、内容器の底部を囲んだ底部材４と、外装体の上端外周壁に装着し、内容器の口元を支える肩部材５と、肩部材の上端外周壁に着脱自在に装着し、内容器の口元を開閉する蓋体６と、内容器の底部外側に張設したヒータ７と、内容器内の液温を感知する手動復帰式のスイッチ８ａを備えたサーモスタット８と、このサーモスタットのスイッチ８ａを操作するレバー９と、底部材の側壁を貫通してレバーを突出させる枠体１０とから構成されている。
１２は、家庭用又は車載用等の電源プラグ１３の電源をを入力するためのプラグ受けで、１４は、内容器２内の液体を外部へ注ぎ出す注出口である。
【００１０】
内容器２は、ステンレス等の金属材料にて一重壁の有底筒状に形成されており、図２および図３に示すように、口元に外側へ拡がった鍔部を設けている。内容器２の底部には、後述の底部材４固定するためのアングル１５を複数個垂下している。
外装体３は、金属材料又は合成樹脂材料にて図２および図３に示すように、内容器２と間隔を隔てた筒状に形成されている。
【００１１】
底部材４は、合成樹脂材料にて形成されており、図２および図３に示すように、外装体３の下端を覆うようにして底板１６を介してアングル１５、１５にビス止めされている。
この底部材４は、把手１１の向かい側である後壁に電源プラグ１３用のプラグ受け１２を装着しており、このプラグ受けより離れた横側の後壁に後述の枠体１０を装着している。この枠体の側には、ヒータのＯＮ、ＯＦＦ状態を示すランプ１７を設けている。
【００１２】
底部材の枠体１０は、図１乃至図３に示すように、ほぼ四角形状であって、上方壁にのみ外方へ突出したひさし部１０ａを設けている。
このひさし部１０ａは、内容器２口元から外装体３を伝って流れ落ちる水滴が枠体１０を通って底部材４内に流れ落ちずに、内容器２口元から外装体３を伝って流れ落ちる水滴がひさし部１０ａの両端から底部材外壁を伝って載置面に落とす働きと、後述のレバー９を引き上げる際に、図５に示すように、このひさし部の上側に指を掛け、後述のレバー９の指掛け部９ａにも指を掛けて、その掛けた二つの指の間を狭めるだけで簡単にレバー操作できる働きを有している。
【００１３】
肩部材５は、合成樹脂材料にて形成されて図２および図３に示すように、外壁側５ａと内壁側５ｂとの二重壁構造になっており、外壁側５ａの下端が外装体３の上端と無理嵌め結合し、内壁側５ｂの中央が開口され、内容器２の鍔部を下側から支え保持している。
この内壁側５ｂ内壁には、後述の蓋体６を螺着する雌ネジを刻設している。
【００１４】
肩部材５の前方に突出した注出口１４は、肩部材の内壁側５ｂの前壁を前方へ延長して形成され、内容器２口元と連通している。把手１１は、図１に示すように、肩部材の外壁側５ａの後壁より一体的に形成されている。
【００１５】
蓋体６は、肩部材の内壁側５ｂ内壁の雌ネジに螺着する雄ねじを下部外周壁に刻設しており、蓋体内に断熱材１８を充填している。
この蓋体６は、注出口１４と内容器２口元とを繋ぐ流路を開閉するタッチ式機構又はレバー式機構を備えた構造のものであっても何ら支障をきたすものではない。
【００１６】
ヒータ７は、図２および図３に示すように、内容器２の胴部下端に張設されたバンドヒータである。このヒータ７は、内容器の底部外壁に張設するマイカヒータであっても何ら支障をきたすものではない。
【００１７】
内容器２内の液温を感知するサーモスタット８は、図２および図５に示すように、内容器の底部外壁に当接して内容器内の液温を感知するようにしており、当接する反対側に手動復帰式のスイッチ８ａを備えている。
【００１８】
この手動復帰式のスイッチ８ａは、サーモスタット８がプラグ受け１２より入力された電源にて内容器内の液温を感知して予め設定された設定温度以上であれば、自動的に切れ、ヒータ７への通電を阻止し、設定温度以下であれば、ヒータ７への通電を阻止せず、内容器２内の液体を沸かし始める。この手動復帰式のスイッチ８ａは、図５に示すように、突出したボタンがスイッチ本体内に入り込んだ状態をスイッチＯＮ状態とし、図４に示すように、ボタンがスイッチ本体内より飛び出した状態をスイッチＯＦＦ状態としている。
【００１９】
この手動復帰式のスイッチ８ａを外部より操作するレバー９は、図２および図５に示すように、内容器のアングル１５に取り付けられた台座１９に後端が上下動自在に取り付けられ、その先端が指掛け部９ａとなって、底部材４の側壁を貫通して枠体１０内に延びており、台座１９に近い上方箇所で手動復帰式のスイッチ８ａのボタンと接触している。
【００２０】
このレバー９の指掛け部９ａの先端は、枠体１０のひさし部１０ａより突出することはない。
２０は、レバー９の復帰バネであるが自重により降下するようにしているので、特に設ける必要もないがより安全性を考慮して設けている。２１は、レバー９の支え部で、自重により降下した際、底部材４に設けた支持片２２上に保持されている。
【００２１】
このようにして、プラグ受け１２に電源プラグ１３が差し込まれた後、枠体１０のひさし部１０ａの上側とレバー９の指掛け部９ａの下側とにそれぞれ指を掛けてレバー９を引き上げる。このレバーの引き上げによって、サーモスタット８の手動復帰式のスイッチ８ａのボタンがスイッチ本体内に押し上げられて、サーモスタットを稼働させる。ボタンが押し上げられればひさし部と指掛け部とに掛けた指を離すことにより、レバーは自重に任せて降下するので、非常に操作性の良いものである。
【００２２】
更に、サーモスタット８によって、内容器内の液温を感知してこの液温が予め設定された設定温度以下であれば、プラグ受け１２からの電源をヒータ７へ入力し、内容器２内の液体を沸かし始める。
又、内容器内の液温が予め設定された設定温度以上となると、ヒータ７への入力が阻止され、手動復帰式のスイッチ８ａが切れボタンが自動的に降下する。
【００２３】
従って、車用の電源にて電気湯沸かし器を沸かし、車内に載置する場合でも、キーホルダーやコイン、筆記用具等を落とし、その際にこれらがこの電気湯沸かし器に当たっても枠体のひさし部にて跳ね返り、又万一レバーの指掛け部に当たることがあっても、レバーを押し下げる方向に当たるので、手動復帰式のスイッチのボタンには全く支障なく、勝手にサーモスタットやヒータを作動させることがなく、極めて安全性の高いものである。
【００２４】
又、台所等に載置された場合でも、皿やコップ等が落下しても枠体のひさし部にて跳ね返り、又万一レバーの指掛け部に当たることがあっても、レバーを押し下げる方向に当たるので、勝手にサーモスタットやヒータを作動させることがない。
【００２５】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２６】
１…電気湯沸かし器
２…内容器
３…外装体
４…底部材
５…肩部材
５ａ…外壁側
５ｂ…内壁側
６…蓋体
７…ヒータ
８…サーモスタット
８ａ…手動復帰式のスイッチ
９…レバー
９ａ…指掛け部
１０…枠体
１０ａ…ひさし部
１１…把手
１２…プラグ受け
１３…電源プラグ
１４…注出口
１５、１５…アングル
１６…底板
１７…ランプ
１８…断熱材
１９…台座
２０…復帰バネ
２１…支え部
２２…支持片
【図１】
0003150001.tif 000003
【図２】
0003150001.tif 000004
【図３】
0003150001.tif 000005
【図４】
0003150001.tif 000006
【図５】
0003150001.tif 000007